(57)【要約】【課題】プリンタ複合機に搭載されても、従来のイメージスキャナに搭載した時と同じセンサアレイを用いて、かつ従来のイメージスキャナに搭載した時と同等の寿命が得られるイメージセンサを実現することを課題とする。【解決手段】制御信号を基に点灯及び消灯が制御され、原稿を照明するための光源（２）と、原稿からの反射光を光電変換するセンサ（４）と、制御信号を基にセンサに電源を供給する給電回路（５）とを有することを特徴とするイメージセンサが提供される。【選択図】図１
2007129475.tif 000002
【特許請求の範囲】
【請求項１】
制御信号を基に点灯及び消灯が制御され、原稿を照明するための光源と、
前記原稿からの反射光を光電変換するセンサと、
前記制御信号を基に前記センサに電源を供給する給電回路と
を有することを特徴とするイメージセンサ。
【請求項２】
前記光源が点灯する期間及び前記センサに電源を供給する期間が同じであることを特徴とする請求項１記載のイメージセンサ。
【請求項３】
前記光源は、複数の制御信号を基に複数色を発光し、
前記給電回路は、前記制御信号の立ち下がりとその後続の他の制御信号との間に所定期間以内の間が空いているときにはその期間も継続して前記センサに電源を供給し、前記所定期間を超える間が空いているときにはその期間には前記センサに電源を供給しないことを特徴とする請求項１記載のイメージセンサ。
【請求項４】
制御信号を基に点灯及び消灯が制御され、原稿を照明するための光源と、
前記原稿からの反射光を光電変換するセンサと、
前記制御信号を基に前記センサにクロック信号を供給する信号供給回路と
を有することを特徴とするイメージセンサ。
【請求項５】
前記光源が点灯する期間及び前記センサにクロック信号を供給する期間が同じであることを特徴とする請求項４記載のイメージセンサ。
【請求項６】
前記光源は、複数の制御信号を基に複数色を発光し、
前記信号供給回路は、前記制御信号の立ち下がりとその後続の他の制御信号との間に所定期間以内の間が空いているときにはその期間も継続して前記センサにクロック信号を供給し、前記所定期間を超える間が空いているときにはその期間には前記センサにクロック信号を供給しないことを特徴とする請求項４記載のイメージセンサ。
【請求項７】
制御信号を基に点灯及び消灯が制御され、原稿を照明するための光源と、
前記原稿からの反射光を光電変換するセンサと、
前記制御信号を基に前記センサに電源を供給する給電回路と、
前記制御信号を基に前記センサにクロック信号を供給する信号供給回路と
を有することを特徴とするイメージセンサ。
【請求項８】
前記光源が点灯する期間、前記センサに電源を供給する期間及び前記センサにクロック信号を供給する期間が同じであることを特徴とする請求項７記載のイメージセンサ。
【請求項９】
前記光源は、複数の制御信号を基に複数色を発光し、
前記給電回路は、前記制御信号の立ち下がりとその後続の他の制御信号との間に所定期間以内の間が空いているときにはその期間も継続して前記センサに電源を供給し、前記所定期間を超える間が空いているときにはその期間には前記センサに電源を供給せず、
前記信号供給回路は、前記制御信号の立ち下がりとその後続の他の制御信号との間に所定期間以内の間が空いているときにはその期間も継続して前記センサにクロック信号を供給し、前記所定期間を超える間が空いているときにはその期間には前記センサにクロック信号を供給しないことを特徴とする請求項７記載のイメージセンサ。
【請求項１０】
制御信号を基に点灯及び消灯が制御され、原稿を照明するための光源と、
前記原稿からの反射光を光電変換するセンサとを有するイメージセンサの制御方法であって、
前記制御信号を基に前記センサに電源を供給する給電ステップを有することを特徴とするイメージセンサの制御方法。
【請求項１１】
制御信号を基に点灯及び消灯が制御され、原稿を照明するための光源と、
前記原稿からの反射光を光電変換するセンサとを有するイメージセンサの制御方法であって、
前記制御信号を基に前記センサにクロック信号を供給する信号供給ステップを有することを特徴とするイメージセンサの制御方法。
【請求項１２】
制御信号を基に点灯及び消灯が制御され、原稿を照明するための光源と、
前記原稿からの反射光を光電変換するセンサとを有するイメージセンサの制御方法であって、
前記制御信号を基に前記センサに電源を供給する給電ステップと、
前記制御信号を基に前記センサにクロック信号を供給する信号供給ステップと
を有することを特徴とするイメージセンサの制御方法。
【発明の詳細な説明】
【技術分野】
【０００１】
本発明は、イメージセンサ及びその制御方法に関する。
【背景技術】
【０００２】
図９は、例えば下記の特許文献１に示されている、従来の密着型イメージセンサを模式的に表したものである。図において、１は密着型イメージセンサ、２は光源、３は光源制御信号、４はセンサアレイ、５は給電回路、８はクロック信号供給回路である。光源２は例えば発光ダイオード（以下、LEDという）とこのLEDからの光を1次元的に均一に原稿に送る導光体とで構成される。センサアレイ４は例えば１次元的に配列された撮像素子で構成されるセンサチップ、あるいはセンサチップを1次元的に複数配置したセンサチップ群である。また給電回路５はセンサアレイへ電源を給電する回路、８はセンサアレイを駆動するクロック信号をセンサアレイへ供給する信号供給回路、１０は光源から発せられた光、１１は読み取られる原稿である。
【０００３】
以下に密着型イメージセンサの動作について説明する。原稿を読み取るためにスキャン動作を開始すると、密着型イメージセンサ１は、撮像素子あるいはセンサチップ群が1次元的に配列されている方向と垂直方向に、原稿に密着しながら、原稿の一方の端から他方の端まで移動していく。このスキャン動作期間中、光源制御信号３によって点灯した光源２から発せられた光１０は、原稿１１に線状に当たり、その反射光がセンサアレイ４に入射する。センサアレイ４は、入射した光１０を光電変換し、電気信号として原稿１１の読取情報を出力する。このスキャン動作期間中、センサアレイ４を駆動するため、クロック信号は常に信号供給回路８を介して、センサアレイ４に入力され続けている。
【０００４】
【特許文献１】特開平５−９０５５９号公報
【発明の開示】
【発明が解決しようとする課題】
【０００５】
従来密着型イメージセンサが主に搭載されてきたイメージスキャナの場合、原稿を読み取る時のみに本体に電源が投入される場合が多かったため、センサアレイの通電時間もそれほど長くなかった。しかしながら近年は、画像読取機能を備えたプリンタ複合機へ密着型イメージセンサが搭載されることが多くなった。
【０００６】
図１０はプリンタ複合機の本体の電源投入時間と、光源の点灯時間と、センサアレイの給電時間と、クロック信号の供給時間と、の関係を模式的に示したタイミングチャートである。光源の点灯期間中がおおよそのスキャン動作期間となる。このスキャン動作期間外においても、プリンタ複合機の場合、プリンタ複合機に電源が投入されている間、センサアレイへ電源が常時給電されている。つまりプリンタ複合機の場合、イメージスキャナと比較して電源投入されている時間が長いため、センサアレイの給電時間が長くなる傾向にある。このため、たとえば相補型金属酸化膜半導体（以下、CMOSという）からなる回路素子を有する場合は、長時間給電するとにより、CMOS素子の酸化膜が破壊されるといった信頼性上の不具合が懸念される。
【０００７】
上述の図１０の説明は単色の光源を用いたモノクロスキャンを行う際のタイミングチャートであるが、カラースキャンの場合は図１１に示すタイミングチャートに従って、スキャンが実行される。この場合、赤（R）、緑（G）、青（B）の３色の光源を用いるため、光源制御信号は３本となり、この光源制御信号を用いて各色を順番に点灯させていくことにより、各々の色情報を読み取っていく。カラースキャンの場合も、モノクロスキャンと同様にスキャン動作期間外においても、センサアレイに電源電圧が常時給電されているため、同様に信頼性上の不具合が懸念される。
【０００８】
また前述した電源の給電時間と同様に、センサアレイを駆動するクロック信号もイメージスキャナと比較して、スキャン期間外においても長時間センサアレイに供給されている場合があり、CMOS素子の酸化膜破壊といった問題が起こる可能性がある。
【０００９】
以上説明したようにプリンタ複合機へ搭載され、センサアレイを構成するセンサチップの給電時間やクロック供給時間が延び、回路素子が破壊され、動作しなくなる可能性が高まり、信頼性上の観点からセンサアレイの長寿命化が要求されている。しかしながらセンサアレイの長寿命化は、新たな半導体プロセス開発や新規回路設計などが必要となる。
【００１０】
本発明はこのような課題を鑑みてなされ、プリンタ複合機に搭載されても、従来のイメージスキャナに搭載した時と同じセンサアレイを用いて、かつ従来のイメージスキャナに搭載した時と同等の寿命が得られるイメージセンサを実現することを目的とする。
【課題を解決するための手段】
【００１１】
本発明のイメージセンサは、制御信号を基に点灯及び消灯が制御され、原稿を照明するための光源と、前記原稿からの反射光を光電変換するセンサと、前記制御信号を基に前記センサに電源を供給する給電回路とを有することを特徴とする。
また、本発明のイメージセンサは、制御信号を基に点灯及び消灯が制御され、原稿を照明するための光源と、前記原稿からの反射光を光電変換するセンサと、前記制御信号を基に前記センサにクロック信号を供給する信号供給回路とを有することを特徴とする。
また、本発明のイメージセンサは、制御信号を基に点灯及び消灯が制御され、原稿を照明するための光源と、前記原稿からの反射光を光電変換するセンサと、前記制御信号を基に前記センサに電源を供給する給電回路と、前記制御信号を基に前記センサにクロック信号を供給する信号供給回路とを有することを特徴とする。
また、本発明のイメージセンサの制御方法は、制御信号を基に点灯及び消灯が制御され、原稿を照明するための光源と、前記原稿からの反射光を光電変換するセンサとを有するイメージセンサの制御方法であって、前記制御信号を基に前記センサに電源を供給する給電ステップを有することを特徴とする。
また、本発明のイメージセンサは、制御信号を基に点灯及び消灯が制御され、原稿を照明するための光源と、前記原稿からの反射光を光電変換するセンサとを有するイメージセンサの制御方法であって、前記制御信号を基に前記センサにクロック信号を供給する信号供給ステップを有することを特徴とする。
また、本発明のイメージセンサは、制御信号を基に点灯及び消灯が制御され、原稿を照明するための光源と、前記原稿からの反射光を光電変換するセンサとを有するイメージセンサの制御方法であって、前記制御信号を基に前記センサに電源を供給する給電ステップと、前記制御信号を基に前記センサにクロック信号を供給する信号供給ステップとを有することを特徴とする。
【発明の効果】
【００１２】
センサへの給電期間又はクロック信号の供給期間を、制御信号を基に制御することができる。これにより、プリンタ複合機に搭載されても、イメージスキャナに搭載した時と同じセンサを用いて、かつイメージスキャナに搭載した時と同等の寿命が得られるイメージセンサを実現することができる。
【発明を実施するための最良の形態】
【００１３】
以下に本発明の実施形態にかかる密着型イメージセンサを図面に基づいて説明する。なお、この実施形態によりこの発明が限定されるものではない。
【００１４】
（第１の実施形態）
図１は、本発明の第１の実施形態にかかる密着型イメージセンサの構成例を示している。なお先に説明した図９と共通する構成については、同一の番号を付して、その説明を省略する。図において、５は制御端子に入力される信号によってセンサアレイ４への電源の給電/遮断を制御する電源制御手段６を有する給電回路、７は光源制御信号３のエッジを検出し、その検出結果を前記電源制御手段６へ出力するエッジ検出手段である。
【００１５】
ここで、上記第１の実施形態の密着型イメージセンサの動作について、図２のタイミングチャートを基に説明する。以下、ハイレベルをHIGH、ローレベルをLOWという。図２は図８と同様に、プリンタ複合機の本体の電源投入時間と、光源２の点灯時間、すなわちスキャン動作期間と、センサアレイ４の給電時間の関係を模式的に示している。ここで光源制御信号３の「HIGH」の期間に光源２を点灯し、光源制御信号３の「LOW」の期間に光源２を消灯する。そして、エッジ検出手段７からの信号が「HIGH」の時に、電源制御手段６が給電、同様に「LOW」の時に、電源制御手段６が遮断するよう設定されるものとする。エッジ検出手段７は、光源制御信号３が「HIGH」の期間に「HIGH」を出力し、光源制御信号３が「LOW」の期間に「LOW」を出力する。この場合、エッジ検出手段７は、例えば光源制御信号３を電源制御手段６の制御端子に接続する分岐配線で実現可能である。この時、図２にあるように、センサアレイ４の通電時間は光源制御信号３の「HIGH」期間のみとなり、スキャン動作期間の間だけ電源はセンサアレイ４に給電され、スキャン動作期間外において、電源は遮断されることになる。
【００１６】
以下に特にカラースキャンの場合について、構成を詳細に説明する。図３にエッジ検出手段７の構成図を示す。３色の光源制御信号３はそれぞれ、赤色の光源制御信号を３-R、緑色を３-G、青色を３-Bとする。２１は前記3色の光源制御信号３-R、３-G、３-Bが入力される3入力OR回路（以下、3ORという）、２２は前記3OR２１の出力と接続され、抵抗と容量で構成されるローパスフィルタ（以下、LPFという）である。２３は前記LPF２２の出力波形を反転し整形する反転バッファ（以下、INVという）である。２４は前記3OR２１がセット入力端子（以下、SETという）に接続され、INV２３の出力がリセット入力端子（以下、RESETという）に接続されている、セットリセット回路（以下、SR-FFという）である。ここでSR-FF２４は各入力の立ち上がりにおいて状態が変化するものとする。すなわちSETが立ち上がると、SR-FF２４の出力は「HIGH」に変化し、RESETが立ち上がると、SR-FF２４の出力は「LOW」に変化する。
【００１７】
次に、図４のタイミングチャートを用いて動作の説明をする。本説明においては「赤→緑→青」の順番で光源２が点灯されることとする。本体電源投入後、3色の光源制御信号３-R、３-G、３-Bが、3OR２１を介してSR-FF２４のSETに入力されるため、赤色制御信号３-Rの最初の立ち上がりを検知してSR-FF２４は「HIGH」を出力し、センサアレイ４への給電が開始される。スキャン期間中各色の光源が順に点灯/消灯を繰り返した後、最後の光源制御信号の立ち下がり（図では青色3-B）がLPF２２とINV２３を介して、反転されてSR-FF２４のRESETに入力される。そのため、SR-FF２４が「LOW」を出力し、センサアレイ４への電源が遮断される。
【００１８】
ここで、各色の光源制御信号の立ち下がりと、後続の光源制御信号の立ち上がりとの間に間が空いていると仮定する。ここで言う光源制御信号の立ち下がりと、後続の光源制御信号の立ち上がりの間とは、本説明においては下記の組み合わせを示している。
・3-Rの立ち下がりと3-Gの立ち上がり
・3-Gの立ち下がりと3-Bの立ち上がり
・3-Bの立ち下がりと3-Rの立ち上がり
【００１９】
この場合、3OR２１の出力パルスのスキャン期間中の立ち下がりと、スキャン終了時の最後の立ち下がりとを区別することが出来ず、スキャン期間中に頻繁にセンサアレイへの電源の給電/遮断が行われ、スキャン動作が正常に行われなくなる可能性がある。そのためにLPF（RCフィルタ）２２を設けてパルス波形を鈍らせる。これによって、スキャン期間中のパルス立ち下がりを次段において（この場合はINV２３）「LOW」と識別するまえに、後続の光源制御信号の立ち上がりが始まり、スキャン期間中にパルスが立下がらないようにした。この構成をとることにより、スキャン期間中の立ち下がりと、スキャン終了時の最後の立ち下がりとを区別することが出来る。LPF２２の時定数はシステムによって決まる各色の光源制御信号の立ち下がりと、後続の光源制御信号の立ち上がりの間隔から決めればよい。またシステムにおいて、前記間隔が絶対に空かないことが保証されていれば、エッジ検出手段７は3OR２１のみで構成してもかまわない。
【００２０】
以上のように、本実施形態では、光源２は、光源制御信号３を基に点灯及び消灯が制御され、原稿１１を照明する。センサアレイ４は、原稿１１からの反射光１０を光電変換する。給電回路５は、光源制御信号３を基にセンサアレイ４に電源を供給する。
【００２１】
図２では、光源２が点灯する期間及びセンサアレイ４に電源を供給する期間が同じである。
【００２２】
また、図３及び図４では、光源２は、複数の光源制御信号３-R、３-G、３-Bを基に複数色を発光する。給電回路５は、光源制御信号３-Rの立ち下がりとその後続の他の制御信号３-Gとの間に所定期間以内の間が空いているときにはその期間も継続してセンサアレイ４に電源を供給する。そして、前記所定期間を超える間が空いているときにはその期間にはセンサアレイ４に電源を供給しない。
【００２３】
このように第１の実施形態においては、光源制御信号を用いてセンサアレイへの給電をスキャン動作期間に限ることにする。これにより、プリンタ複合機に搭載されても、従来のイメージスキャナに搭載した時と同じセンサアレイを用いて、かつ従来のイメージスキャナに搭載した時と同等の寿命が得られる密着型イメージセンサを実現できる。
【００２４】
（第２の実施形態）
次に、本発明の第２の実施形態の密着型イメージセンサの動作について説明する。図５は、本発明の第２の実施形態の密着型イメージセンサの構成例を示している。なお前述の図１と共通する部分については、同一の番号を付してその説明を省略する。図において、８は制御端子に入力される信号によって、センサアレイ４を駆動するクロック信号の接続/切断を制御するクロック信号制御手段９を有する信号供給回路である。また前記エッジ検出手段７の出力は、信号供給回路８に接続されている。
【００２５】
光源制御信号３と光源２の明滅の関係が第１の実施形態と同様の関係にあるとすれば、センサアレイ４にクロック信号が入力される期間は、図６のタイミングチャートに示すように光源制御信号３の「HIGH」期間のみとなる。これにより、スキャン動作期間の間だけ、クロック信号はセンサアレイに入力される。つまりスキャン動作期間外においては、給電だけ続けられ、クロック信号のみ遮断される休止状態となり、次のスキャン動作期間開始時のセンサアレイの動作起動時間が高速化される。またカラースキャン時においては、第１の実施形態で説明したエッジ検出器と同様の構成を用いれば、実現可能である。
【００２６】
以上のように、本実施形態では、光源２は、光源制御信号３を基に点灯及び消灯が制御され、原稿１１を照明する。センサアレイ４は、原稿１１からの反射光１０を光電変換する。信号供給回路８は、光源制御信号３を基にセンサアレイ４にクロック信号を供給する。
【００２７】
図６では、光源２が点灯する期間及びセンサアレイ４にクロック信号を供給する期間が同じである。
【００２８】
また、図３及び図４に示すように、光源２は、複数の光源制御信号３-R、３-G、３-Bを基に複数色を発光する。信号供給回路８は、光源制御信号３-Rの立ち下がりとその後続の他の制御信号３-Gとの間に所定期間以内の間が空いているときにはその期間も継続してセンサアレイ４にクロック信号を供給する。そして、前記所定期間を超える間が空いているときにはその期間にはセンサアレイ４にクロック信号を供給しない。
【００２９】
このように第２の実施形態においては、光源制御信号を用いてセンサアレイへのクロック信号入力をスキャン動作期間に限ることにする。これにより、プリンタ複合機に搭載されても、従来のイメージスキャナに搭載した時と同じセンサアレイを用いて、かつ従来のイメージスキャナに搭載した時と同等の寿命が得られる密着型イメージセンサを実現できる。またスキャン動作期間外においても給電は続けられる休止状態とすることにより、読取開始時のセンサアレイの動作起動時間を高速化できる。
【００３０】
（第３の実施形態）
次に、本発明の第３の実施形態の密着型イメージセンサの動作について説明する。図７は、本発明の第３の実施形態の密着型イメージセンサの構成例を示している。なお前述の図１及び図５と共通する部分については、同一の番号を付してその説明を省略する。前記エッジ検出手段７の出力は、前記給電回路５と前記信号供給回路８の各々に接続されている。
【００３１】
光源制御信号３と光源２の明滅の関係が第１の実施形態及び第２の実施形態と同様の関係にあるとする。その場合、図８のタイミングチャートに示すように、光源制御信号３の「HIGH」期間のみ、つまりスキャン動作期間のみ、クロック信号入力とセンサアレイ４へ電源供給がなされる。またエッジ検出手段７の検出結果を任意に給電回路５或いは信号供給回路８に出力する構成とすれば、スキャン動作期間外におけるセンサアレイ４への給電の遮断、及びクロック信号入力の遮断を任意に選択することができる。またカラースキャン時においては、第１の実施形態で説明したエッジ検出器と同様の構成を用いれば、実現可能である。
【００３２】
以上のように、本実施形態では、光源２は、光源制御信号３を基に点灯及び消灯が制御され、原稿１１を照明する。センサアレイ４は、原稿１１からの反射光１０を光電変換する。給電回路５は、光源制御信号３を基にセンサアレイ４に電源を供給する。信号供給回路８は、光源制御信号３を基にセンサアレイ４にクロック信号を供給する。
【００３３】
図８では、光源２が点灯する期間、センサアレイ４に電源を供給する期間及びセンサアレイ４にクロック信号を供給する期間が同じである。
【００３４】
また、図３及び図４に示すように、光源２は、複数の光源制御信号３-R、３-G、３-Bを基に複数色を発光する。給電回路５は、光源制御信号３-Rの立ち下がりとその後続の他の制御信号３-Gとの間に所定期間以内の間が空いているときにはその期間も継続してセンサアレイ４に電源を供給する。そして、前記所定期間を超える間が空いているときにはその期間にはセンサアレイ４に電源を供給しない。信号供給回路８は、光源制御信号３-Rの立ち下がりとその後続の他の制御信号３-Gとの間に所定期間以内の間が空いているときにはその期間も継続してセンサアレイ４にクロック信号を供給する。そして、前記所定期間を超える間が空いているときにはその期間にはセンサアレイ４にクロック信号を供給しない。
【００３５】
このように第３の実施形態においては、光源制御信号を用いてセンサアレイへの給電とクロック信号入力の双方をスキャン動作期間のみに限ることにする。これにより、従来のイメージスキャナに搭載されているセンサアレイを有する密着型イメージセンサを、プリンタ複合機へ搭載することが可能となる。またスキャン動作期間外における給電遮断とクロック信号入力遮断を任意に選択し、完全な遮断状態とセンサ起動時間の早い休止状態を選択することが可能となる。
【００３６】
以上説明したように、第１〜第３の実施形態によれば光源制御信号を用いてセンサアレイへの給電、及び／又はクロック信号入力を制御することにする。これにより、プリンタ複合機に搭載されても、従来のイメージスキャナに搭載した時と同じセンサアレイを用いて、かつ従来のイメージスキャナに搭載した場合と同等の寿命が得られる密着型イメージセンサを実現できる、という効果を奏する。
【００３７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００３８】
【図１】本発明の第１の実施形態にかかる密着型イメージセンサの構成図である。
【図２】第１の実施形態の動作説明図である。
【図３】第１の実施形態のエッジ検出手段の構成図である。
【図４】第１の実施形態のカラースキャン時の動作説明図である。
【図５】本発明の第２の実施形態にかかる密着型イメージセンサの構成図である。
【図６】第２の実施形態の動作説明図である。
【図７】本発明の第３の実施形態にかかる密着型イメージセンサの構成図である。
【図８】第３の実施形態の動作説明図である。
【図９】従来の密着型イメージセンサの構成図である。
【図１０】プリンタ複合機に搭載された従来の密着型イメージセンサの動作説明図である。
【図１１】プリンタ複合機に搭載された従来の密着型イメージセンサのカラースキャン時の動作説明図である。
【符号の説明】
【００３９】
１  密着型イメージセンサ
２  光源
３  光源制御信号
４  センサアレイ
５  給電回路
６  電源制御手段
７  エッジ検出手段
８  信号供給回路
９  クロック信号制御手段
１０  光源出力光
１１  原稿
２１  ３入力OR回路
２２  ローパスフィルタ
２３  反転バッファ
２４  セットリセット回路
【図１】
2007129475.tif 000003
【図２】
2007129475.tif 000004
【図３】
2007129475.tif 000005
【図４】
2007129475.tif 000006
【図５】
2007129475.tif 000007
【図６】
2007129475.tif 000008
【図７】
2007129475.tif 000009
【図８】
2007129475.tif 000010
【図９】
2007129475.tif 000011
【図１０】
2007129475.tif 000012
【図１１】
2007129475.tif 000013